(57)【要約】      （修正有）【課題】確実な接続の確保と小型化を図りつつ、不用意に接続解除されないようにしたコネクタおよびそのプラグ側端子を提供する。【解決手段】ジャック側端子１０が、ピン状の第１中心電極１１とこれを取り巻く筒状の第１周辺電極１２とを有する。プラグ側端子２０が、第２中心電極２１とこれを取り巻く第２周辺電極２２とを有する。第２中心電極２１は、複数のスリ割を有する筒状とされて拡縮変形可能で、第１中心電極１１の外周に嵌合形式で接続される。第２周辺電極２２は、複数のスリ割りを有する筒状とされて拡縮変形可能で、第１周辺電極１２の内周に嵌合形式で接続される。第１周辺電極１２の奥側内周面に環状の係止凹部１４が形成される一方、第２周辺電極２２の先端部外面に、係止凹部１４に嵌合される係止凸部２６が形成されている。【選択図】図６
0003208049.tif 000002
【実用新案登録請求の範囲】
【請求項１】
ジャック側端子が、ピン状の第１中心電極と、第１絶縁部材を介して該第１中心電極を取り巻くように配設されると共に先端が開口された筒状の第１周辺電極と、を有し、
プラグ側端子が、第２中心電極と、第２絶縁部材を介して該第２中心電極を取り巻くように配設された第２周辺電極と、を有し、
前記第２中心電極は、周方向に間隔をあけて複数のスリ割りを有する筒状とされることにより拡縮変形可能とされて、前記第１中心電極の外周に嵌合形式で接続され、
前記第２周辺電極は、周方向に間隔をあけて複数のスリ割りを有する筒状とされることにより拡縮変形可能とされて、前記第１周辺電極の内周に嵌合形式で接続され、
前記第１周辺電極の奥側内周面に環状の係止凹部が形成される一方、前記第２周辺電極の先端部外面に該係止凹部に嵌合される係止凸部が形成されている、
ことを特徴とするコネクタ。
【請求項２】
請求項１において、
前記係止凹部のうち前記ジャック側端子の先端部側なる部位に、該ジャック側端子の先端に向かうにつれて徐々に縮径される第１傾斜面が形成され、
前記係止凸部に、該係止凸部が前記係止凹部に嵌合された際に、前記第１傾斜面に沿うようにして該第１傾斜面に接触される第２傾斜面が形成されている、
ことを特徴とするコネクタ。
【請求項３】
請求項１または請求項２において、
前記第１周辺電極の内周面に、その先端開口部側から奥側に向かうにつれて順次、大径部と、該大径部の奥側端に連なって徐々に縮径されるガイド傾斜面と、該ガイド傾斜面の奥側端に連なる小径部とが形成され、
前記第２周辺電極を前記第１周辺電極内に嵌合させていくときに、該第２周辺電極の先端部が、前記大径部内に縮径作用を受けることなく挿入された後、前記ガイド傾斜面によって徐々に縮径変形され、前記小径部では縮径変形された状態が維持され、前記係止凹部では縮径変形が解除されて前記係止凸部が前記係止凹部に嵌合される、
ことを特徴とするコネクタ。
【請求項４】
請求項１ないし請求項３のいずれか１項において、
前記第２周辺電極が前記第２中心電極よりも先端側に長く伸びるようにされ、
前記第２絶縁部材には、前記第２中心電極と前記第２周辺電極との間に位置されて該第２中心電極の先端部付近にまで伸びる円筒状の延長筒部が形成され、
前記延長筒部の外周面が、前記第２周辺電極の内周面直近に位置にされている、
ことを特徴とするコネクタ。
【請求項５】
請求項４において、
前記延長筒部の基端部が、前記第２中心電極の拡縮変形可能な部分の基端部を包被して、該第２中心電極の中心位置の位置決めを行っている、ことを特徴とするコネクタ。
【請求項６】
請求項１ないし請求項５のいずれか１項において、
前記第２周辺電極の外周面に、ストッパ用の突起部が形成され、
前記係止凸部が前記係止凹部に嵌合された接続状態では、前記第１周辺電極の先端面が前記突起部に当接され、
前記第１周辺電極の先端面が前記突起部に当接した状態では、前記第２周辺電極の先端面が、前記係止凹部の奥側端面に対して隙間を有するようにされている、
ことを特徴とするコネクタ。
【請求項７】
請求項３において、
前記第２周辺電極の外周面に、前記係止凸部が前記係止凹部が嵌合された接続状態において、前記第１周辺電極における前記大径部がきつく嵌合される嵌合部が形成されている、ことを特徴とするコネクタ。
【請求項８】
請求項１ないし請求項７のいずれか１項において、
ヘッドホンまたはイヤホン用とされている、ことを特徴とするコネクタ。
【請求項９】
ジャック側端子に対して着脱自在に接続されるコネクタ用プラグ側端子であって、
第２中心電極と、第２絶縁部材を介して該第２中心電極を取り巻くように配設された第２周辺電極と、を有し、
前記第２中心電極は、周方向に間隔をあけて複数のスリ割りを有する筒状とされることにより拡縮変形可能とされ、
前記第２周辺電極は、周方向に間隔をあけて複数のスリ割りを有する筒状とされることにより拡縮変形可能とされ、
前記第２周辺電極の先端部外面に、係止凸部が形成されている、
ことを特徴とするコネクタ用プラグ側端子。
【請求項１０】
請求項９において、
前記第２周辺電極が前記第２中心電極よりも先端側に長く伸びるようにされ、
前記第２絶縁部材には、前記第２中心電極と前記第２周辺電極との間に位置されて該第２中心電極の先端部付近にまで伸びる円筒状の延長筒部が形成され、
前記延長筒部の外周面が、前記第２周辺電極の内周面直近に位置にされている、
ことを特徴とするコネクタ用プラグ側端子。
【請求項１１】
請求項１０において、
前記延長筒部の基端部が、前記第２中心電極の拡縮変形可能な部分の基端部を包被して、該第２中心電極の中心位置の位置決めを行っている、ことを特徴とするコネクタ用プラグ側端子。
【請求項１２】
請求項９ないし請求項１１のいずれか１項において、
前記第２周辺電極の外周面に、ジャック側端子の先端面が当接されるストッパ用の突起部が形成されている、ことを特徴とするコネクタ用プラグ側端子。
【請求項１３】
請求項９ないし請求項１２のいずれか１項において、
ヘッドホンまたはイヤホン用の接続コードの一端部に設けられている、ことを特徴とするコネクタ用プラグ側端子。
【考案の詳細な説明】
【技術分野】
【０００１】
本考案は、例えばヘッドホンやイヤホン等のオーディオ機器用として好適なコネクタおよしびそのプラグ側端子に関するものである。
【背景技術】
【０００２】
ヘッドホンやイヤホンにあっては、接続コードを介して音源に接続して使用されるのが通常である。この接続コードを、ヘッドホンやイヤホンに固定（一体化）した状態のものでは、使用に伴って接続コードの断線が生じた際に、補修しない限り接続コードと共にヘッドホンやイヤホンが廃棄されるというのが実情である。
【０００３】
高価（高品質）なヘッドホンやイヤホンにおいては、接続コードが断線した際の補修や廃棄を避けるために、接続コードとヘッドホンやイヤホンとをコネクタを介して着脱自在に接続することも行われている。このコネクタは、例えば特許文献１、特許文献２に示すように、それぞれ中心電極と周辺電極とを有するジャック側端子とプラグ側端子とによって構成されて、例えばジャック側端子がヘッドホンやイヤホンに固定され、プラグ側端子が接続コードに固定される。
【先行技術文献】
【特許文献】
【０００４】
【特許文献１】特開平６−１７７６２４号公報
【特許文献２】特表２００７−５０６２３２号公報
【考案の概要】
【考案が解決しようとする課題】
【０００５】
ところで、ヘッドホンやイヤホンと接続コードとをコネクタを介して着脱可能に接続する場合、コネクタとしては、確実な接続の確保は勿論のこと、極力小型であり、しかも不用意に接続解除されない、ということが強く要求される。小型化という観点から、既存のＭＭＣＸコネクタを用いることが考えられるが、この場合は、構造上接続不良を生じてしまうことが応々にして生じる、という欠点がある。また、確実な接続の確保という観点から、既存のＭＣＸコネクタを用いることも考えられるが、この場合はかなり大型となってしまうことになる。
【０００６】
本考案は以上のような事情を勘案してなされたもので、その第１の目的は、確実な接続の確保と小型化を図りつつ、不用意に接続解除されないようにしたコネクタを提供することにある。また、本考案の第２の目的は上記コネクタを構成するプラグ側端子を提供することにある。
【課題を解決するための手段】
【０００７】
前記第１の目的を達成するため、本考案にあっては次のような解決手法を採択してある。すなわち、請求項１に記載のように、
ジャック側端子が、ピン状の第１中心電極と、第１絶縁部材を介して該第１中心電極を取り巻くように配設されると共に先端が開口された筒状の第１周辺電極と、を有し、
プラグ側端子が、第２中心電極と、第２絶縁部材を介して該第２中心電極を取り巻くように配設された第２周辺電極と、を有し、
前記第２中心電極は、周方向に間隔をあけて複数のスリ割りを有する筒状とされることにより拡縮変形可能とされて、前記第１中心電極の外周に嵌合形式で接続され、
前記第２周辺電極は、周方向に間隔をあけて複数のスリ割りを有する筒状とされることにより拡縮変形可能とされて、前記第１周辺電極の内周に嵌合形式で接続され、
前記第１周辺電極の奥側内周面に環状の係止凹部が形成される一方、前記第２周辺電極の先端部外面に該係止凹部に嵌合される係止凸部が形成されている、
ようにしてある。
【０００８】
上記解決手法によれば、各中心電極同士の接続および各周辺電極同士の接続をそれぞれ、拡縮変形作用（弾性力）を利用するとにより確実に行なうことができる。また、係止凹部に係止凸部が嵌合することによる接続も確保されて、接続の確実性がより一層高いものとなる。また、全体として極めて小型化でき、特に第１周辺電極の先端部を絶縁部材で被覆することなく露出させたままの構造でよいことや、抜け止めのための機構となる係止凹部や係止凸部を電極そのものによって構成してあるため、より一層小型化の上で有利となる。さらに、係止凹部と係止凸部との嵌合により、抜け止め（つまり接続確保）を確実に行うことができる。
【０００９】
上記解決手法を前提とした好ましい態様は、特許請求の範囲における請求項２〜請求項８に記載のとおりである。すなわち、
前記係止凹部のうち前記ジャック側端子の先端部側なる部位に、該ジャック側端子の先端に向かうにつれて徐々に縮径される第１傾斜面が形成され、
前記係止凸部に、該係止凸部が前記係止凹部に嵌合された際に、前記第１傾斜面に沿うようにして該第１傾斜面に接触される第２傾斜面が形成されている、
ようにしてある（請求項２対応）。この場合、接続をより一層確実に確保する上で好ましいものとなる。
【００１０】
前記第１周辺電極の内周面に、その先端開口部側から奥側に向かうにつれて順次、大径部と、該大径部の奥側端に連なって徐々に縮径されるガイド傾斜面と、該ガイド傾斜面の奥側端に連なる小径部とが形成され、
前記第２周辺電極を前記第１周辺電極内に嵌合させていくときに、該第２周辺電極の先端部が、前記大径部内に縮径作用を受けることなく挿入された後、前記ガイド傾斜面によって徐々に縮径変形され、前記小径部では縮径変形された状態が維持され、前記係止凹部では縮径変形が解除されて前記係止凸部が前記係止凹部に嵌合される、
ようにしてある（請求項３対応）。この場合、ジャック側端子に対するプラグ側端子の当初の嵌合をスムーズに行いつつ、第２周辺電極を一端縮径させた状態から、係止凹部の部分で拡径変形（弾性復帰）させるようにしてあるので、周辺電極同士の接続をより一層確実に確保する上で好ましいものとなる。
【００１１】
前記第２周辺電極が前記第２中心電極よりも先端側に長く伸びるようにされ、
前記第２絶縁部材には、前記第２中心電極と前記第２周辺電極との間に位置されて該第２中心電極の先端部付近にまで伸びる円筒状の延長筒部が形成され、
前記延長筒部の外周面が、前記第２周辺電極の内周面直近に位置にされている、
ようにしてある（請求項４対応）。この場合、第２周辺電極によって第２中心電極を保護しつつ、外部に露出される第２周辺電極に対して部分的に縮径方向への好ましくない外力を受けた際に、延長筒部によってこの外力を受け止めて、第２周辺電極の変形を防止する上で好ましいものとなる。
【００１２】
前記延長筒部の基端部が、前記第２中心電極の拡縮変形可能な部分の基端部を包被して、該第２中心電極の中心位置の位置決めを行っている、ようにしてある（請求項５対応）。この場合、第２中心電極の中心からの位置ずれを防止して、第２中心電極を第１中心電極の外周にスムーズに嵌合させる上で好ましいものとなる。
【００１３】
前記第２周辺電極の外周面に、ストッパ用の突起部が形成され、
前記係止凸部が前記係止凹部に嵌合された接続状態では、前記第１周辺電極の先端面が前記突起部に当接され、
前記第１周辺電極の先端面が前記突起部に当接した状態では、前記第２周辺電極の先端面が、前記係止凹部の奥側端面に対して隙間を有するようにされている、
ようにしてある（請求項６対応）。この場合、突起部に第１周辺電極の先端面が当接して接続完了状態にあることを外部から容易に確認することができる。また、上記隙間設定により、係止凸部が係止凹部に嵌合するための第２周辺電極の拡径変形を、不要な摩擦抵抗を受けることなくスムーズにかつ確実に行わせる上で好ましいものとなる。
【００１４】
前記第２周辺電極の外周面に、前記係止凸部が前記係止凹部が嵌合された接続状態において、前記第１周辺電極における前記大径部がきつく嵌合される嵌合部が形成されている、ようにしてある（請求項７対応）。この場合、嵌合部と大径部とのきつい嵌合により、接続状態を確実に維持する上で好ましいものとなり、特にこじれ力が作用した際に不用意に接続解除されてしまう事態を防止する上で好ましいものとなる。
【００１５】
ヘッドホンまたはイヤホン用とされている、ようにしてある（請求項８対応）。この場合、特に小型化が要求されると共に確実な接続の確保が要求されるヘッドホンまたはイヤホン用のコネクタとして極めて好適である。
【００１６】
前記第２の目的を達成するため、本考案にあっては次のような解決手法を採択してある。すなわち、請求項９に記載のように、
ジャック側端子に対して着脱自在に接続されるコネクタ用プラグ側端子であって、
第２中心電極と、第２絶縁部材を介して該第２中心電極を取り巻くように配設された第２周辺電極と、を有し、
前記第２中心電極は、周方向に間隔をあけて複数のスリ割りを有する筒状とされることにより拡縮変形可能とされ、
前記第２周辺電極は、周方向に間隔をあけて複数のスリ割りを有する筒状とされることにより拡縮変形可能とされ、
前記第２周辺電極の先端部外面に、係止凸部が形成されている、
ようにしてある（請求項９対応）。この場合、請求項１に対応したコネクタ用として好適なプラグ側端子を提供することができる。
【００１７】
上記解決手法を前提とした好ましい態様は、請求項１０以下に記載のとおりである。すなわち、
前記第２周辺電極が前記第２中心電極よりも先端側に長く伸びるようにされ、
前記第２絶縁部材には、前記第２中心電極と前記第２周辺電極との間に位置されて該第２中心電極の先端部付近にまで伸びる円筒状の延長筒部が形成され、
前記延長筒部の外周面が、前記第２周辺電極の内周面直近に位置にされている、
ようにしてある（請求項１０対応）。この場合、請求項４に対応したコネクタ用として好適なプラグ側端子を提供することができる。
【００１８】
前記延長筒部の基端部が、前記第２中心電極の拡縮変形可能な部分の基端部を包被して、該第２中心電極の中心位置の位置決めを行っている、ようにしてある（請求項１１対応）。この場合、請求項５に対応したコネクタ用として好適なプラグ側端子を提供することができる。
【００１９】
前記第２周辺電極の外周面に、ジャック側端子の先端面が当接されるストッパ用の突起部が形成されている、ようにしてある（請求項１２対応）。この場合、請求項６に対応したコネクタ用として好適なプラグ側端子を提供することができる。
【００２０】
ヘッドホンまたはイヤホン用の接続コードの一端部に設けられている、ようにしてある（請求項１３対応）。この場合、請求項８に対応したコネクタ用として好適なプラグ側端子を提供することができる。
【考案の効果】
【００２１】
本考案によれば、確実な接続の確保と小型化を図りつつ、不用意に接続解除されないようにしたコネクタおよびそのプラグ側端子を提供することができる。
【図面の簡単な説明】
【００２２】
【図１】ジャック側端子の一例を示す側面図。
【図２】ジャック側端子の側面断面図。
【図３】プラグ側端子の側面図。
【図４】プラグ側端子の側面断面図。
【図５】プラグ側端子をその先端側から見た正面図。
【図６】ジャック側端子とプラグ側端子との接続状態を示す側面断面図。
【考案を実施するための形態】
【００２３】
図１、図２においてジャック側端子（レセプタクル側端子）１０が示され、図３〜図５においてプラグ側端子２０が示される。ジャック側端子１０とプラグ側端子２０とは着脱自在に接続されるものであり、接続された状態が図６に示される。このジャック側端子１０は、例えば、ヘッドホンやイヤホン（図示略）に固定される一方、プラグ側端子２０は接続コード（図示略）に固定される。
【００２４】
ジャック側端子１０の詳細について、図１、図２を参照しつつ説明する。まず、１１は、ピン状とされた第１中心電極であり、１２は第１中心電極１１を取り巻くように配設された筒状（（第１中心電極１１と同心）の第１周辺電極である。第１中心電極１１と第１周辺電極１２とは、その基端部側（図１、図２右方側端部）において、合成樹脂等からなる第１絶縁材１３によって絶縁されている。上記各部材１１〜１３は、互いに一体化されている。第１中心電極１１は、その先端部（図１、図２左方側端部）が先細状とされている。
【００２５】
第１周辺電極１２は、第１中心電極１１よりも先端側（図１、図２左方側）に向けて長く伸びていて、その先端開口部が符号１２ａで示される。第１周辺電極１２は、内部の孔の断面形状が円形とされて、その奥側には円環状の係止凹部１４が形成されている。この係止凹部１４のうち、先端開口部１２ａに向かう側の端部が、先端開口部１２ａに向かうにつれて徐々に縮径される第１傾斜面１４ａとされている。
【００２６】
第１周辺電極１２は、その内径部分が、先端開口部１２ａから係止凹部１４に向かうにつれて順次、大径部１２ｂ、ガイド傾斜面１２ｃ、小径部１２ｄとされている。ガイド傾斜面１２ｃは、奥側に向かうにつれて徐々に縮径するようにされている。ガイド傾斜面１２ｃは、大径部１２ｂおよび小径部１２ｄに対して段差なく連なっている。そして、小径部１２ｄが、第１傾斜面１４ａに段差なく連なっている。
【００２７】
第１周辺電極１２の先端面１２ｅは、第１中心電極１１と直交する方向に伸びる平坦面とされている。また、係止凹部１４の奥側の端面１４ｂも、第１中心電極１１の軸線と直交する方向に伸びる平坦面とされている。
【００２８】
次に、プラグ側端子２０について、図３〜図５を参照しつつ説明する。まず、２１は、第２中心電極であり、２２は第２中心電極２１を取り巻くように配設された第２周辺電極である。第２中心電極２１と第２周辺電極２２とは、その基端部側（図３、図４左方側端部）において、合成樹脂等からなる第２絶縁材２３によって絶縁されている。上記各部材２１〜２３は、互いに一体化されている。
【００２９】
第２中心電極２１の先端部２１ａは、周方向に複数（実施形態では２つ）のスリ割り２４を有する筒状とされて、拡縮変形可能となっている。そして、先端部２１ａは、先端に向かうにつれて徐々に縮径されている。この先端部２１ａの最小開口径は、第１中心電極１１の外径よりも小さくなるように設定されている。したがって、先端部２１ａは、第１中心電極２１の外周に対して、拡径されつつ（拡径方向に弾性変形されつつ）嵌合されるようになっている。また、先端部２１ａは、その基端部が第２絶縁部材２３によって包被されることにより、その中心位置が位置決めされている。
【００３０】
第２周辺電極２２の先端部２２ａは、周方向に複数（実施形態では６つ）のスリ割り２５を有する筒状とされて、拡縮変形可能となっている。この先端部２２ａのうちスリ割り２５の存在しない部分の外面には、係止凸部２６が形成されている。この係止凸部２６は、係止凹部１４に嵌合されるものである。そして、係止凸部２６のうち第２周辺電極２２の基端部側（図３、図４左方側）の部位には、第２傾斜面２６ａが形成されている。この第２傾斜面２６ａは、第２周辺電極２２の先端面２２ｂから離れるにしたがって徐々に縮径するように形成されている。このような第２傾斜面２６ａは、係止凹部１４における第１傾斜面１４ａに対応したもので、後述するように係止凸部２６が係止凹部１４に嵌合された際に、第２傾斜面２６ａが第１傾斜面１４ａに沿うようにした状態で接触される（第２周辺電極２２の拡径作用による弾力的な接触）。
【００３１】
第２周辺電極２２における各係止凸部２６の外周面同士を結ぶ仮想円形の直径（実施形態では約３ｍｍ）は、第１周辺電極１２における大径部１２ｂの直径よりも若干小さくされる一方、小径部１２ｃの直径よりも小さくされている。なお、第１周辺電極１２の最大外径は、約４．８ｍｍ程度とされている。
【００３２】
第２絶縁部材２３は、円筒状とされた延長筒部２３ａを有する。この延長筒部２３ａは、第２中心電極２１と第２周辺電極２２との間の空間内を、第２周辺電極２２の先端面２２ｂ付近にまでて伸びている。延長筒部２３ａの外周面は、第２周辺電極２２の内周面の直近に位置するようにされている。第２周辺電極２２を部分的に大きく縮径させるような好ましくない外力を受けた際に、この外力が延長筒部２３ａによって受け止められて、第２周辺電極２２が不用意に変形されてしまう事態が防止される。
【００３３】
第２周辺電極２２には、その先端面２２ｂから基端部側に離れた位置において、円環状の突起部２７が形成されている。この突起部２７に対して第１周辺電極１２の先端面１２ｅが当接された状態が、ジャック側端子１０とプラグ側端子２０との接続完了状態とされる。この接続完了状態が、図６に示され、このとき、第２周辺電極２２の先端面２２ｂは、係止凹部１４の奥側端面１４ｂに対して隙間Ｓが形成されるように寸法設定されている（係止凹部１４の軸方向長さが、係止凸部２６の軸方向長さよりも長く設定されている）。
【００３４】
第２周辺電極２２の外周面には、突起部２７の直先端側において、所定長さ範囲に渡って嵌合部２２ｃが形成されている。この嵌合部２２ｃの外径は、第１周辺電極１２における大径部１２ｂがきつく嵌合されるような寸法設定とされている。
【００３５】
次に、ジャック側端子１０とプラグ側端子２０との接続について説明する。接続に際しては、プラグ側端子２０をジャック側端子１０に対して軸方向から接近させて、第２中心電極２１を第１中心電極１１の外周に嵌合させ、第２周辺電極２２を第１周辺電極１２の内周に嵌合させる。接続完了は、第１周辺電極１２の先端面１２ｅが、第２周辺電極２２の突起部２７の当接した時点とされ、この状態が図６に示される。
【００３６】
図６に示す接続完了状態では、第１中心電極２１が拡径方向に弾性変形した状態で第１中心電極１１に嵌合されて、この両者の間での接続が確実なものとされる。また、第２周辺電極２２が、縮径方向に弾性変形した状態で第１周辺電極１２の内周に嵌合されて（特に小径部１２ｄ内周面への弾力的な当接）、この両者の間での接続が確実なものとなる。これに加えて、係止凹部１４と係止凸部２６との間での接触、特に第１傾斜面１４ａと第２傾斜面２６ａとの当接により、より確実な接続が確保される。係止凹部１４内に係止凸部２６が嵌合されることによる係止作用によって、図６に示す接続完了状態が確実に維持されて、多少の引き抜き方向の外力を受けても、接続状態が維持されることになる。
【００３７】
ここで、第２周辺電極２２が第１周辺電極１２内に嵌合されていく過程について、第２周辺電極２２の拡縮変形に関連させて説明する。嵌合当初は、第２周辺電極２２（の先端部２２ａ）は、大径部１２ｂ内においては縮径作用を受けることなくスムーズに挿入され、その後、ガイド傾斜面１２ｃを通過する際に徐々に縮径作用を受け、小径部１２ｄを通過するときはこの縮径状態が維持され、係止凸部２６が係止凹部１４と合致したときに、拡径されて（拡径方向への弾性復帰）、係止凸部２６が係止凹部１４に嵌合されることになる。係止凸部２６が係止凹部１４に嵌合するときのクリック感、およびストッパ用の突起部２７に第１周辺電極１２の先端面１２ｅが当接するときの突き当たり感によって、接続が確実に行われたことを容易に確認することができる。
【００３８】
第１周辺電極１２の先端面１２ｅが突起部２７に当接した状態では、第２周辺電極２２が、縮径状態から拡径状態へと弾性復帰して係止凹部１４内に向けて嵌合される動きを行うが、このとき、第２周辺電極２２の先端面２２ｂと係止凹部１４の奥側端面１４ｂとの間に隙間Ｓが形成されているため、この両者２２ｂと１４ｂとの間での摩擦抵抗を受けることなく第２周辺電極２２の拡径がスムーズに行われて、係止凸部２６を係止凹部１４により確実に嵌合させる上で好ましいものとなる。
【００３９】
第１周辺電極１２の先端面１２ｅが突起部２７に当接した接続完了状態では、第１周辺電極１２における大径部１２ｂが、第２周辺電極２２における嵌合部２２ｃにきつく嵌合されることになる。このきつい嵌合により、がたつきのない接続とされて、より確実な接続状態とすることができ、特にこじれ力が作用した際の不用意な接続解除を防止する上で好ましいものとなる。
【００４０】
ここで、ジャック側端子１０とプラグ側端子２０とからなる本考案によるコネクタは、小型化することが可能となるが、特に、第１中心電極１１の先端部外周に絶縁部材を介在させることなく、直接的に第１周辺電極１２の内面が臨むように配設されることから、第１周辺電極１２（つまりジャック側端子１０）の外径を極めて小さくすることができ、これに伴って、第２周辺電極２２の外径も小さくできるものとなる。また、接続抜けを防止するための機構（係止凹部１４と係止凸部２６）を、電極そのものを有効に利用して構成してあるので、抜け止め用の機構を構成する部材を別途用いる場合に比して小型化することができる。
【００４１】
以上実施形態について説明したが、本考案は、実施形態に限定されるものではなく、特許請求の範囲の記載された範囲において適宜の変更が可能である。例えば、プラグ側端子２０をヘッドホンやイヤホンに固定する一方、ジャック側端子１０を接続コードに固定するようにしてもよい。本考案が使用される機器類としては、ヘッドホンやイヤホンに限らず、他のオーディオ機器類や、各種の電気製品用として使用することができる。勿論、本考案の目的は、明記されたものに限らず、実質的に好ましいあるいは利点として表現されたものを提供することをも暗黙的に含むものである。
【産業上の利用可能性】
【００４２】
本考案は、接続を確実に維持できる小型のコネクタおよびそのプラグ側端子を提供することができる。
【符号の説明】
【００４３】
１０：ジャック側端子
１１：第１中心電極
１２：第１周辺電極
１２ａ：先端開口部
１２ｂ：大径部
１２ｃ：ガイド傾斜面
１２ｄ：小径部
１２ｅ：先端面
１３：第１絶縁部材
１４：係止凹部
１４ａ：第１傾斜面
１４ｂ：奥側端面
２０：プラグ側端子
２１：第２中心電極
２１ａ：先端部
２２：第２周辺電極
２２ａ：先端部
２２ｂ：先端面
２２ｃ：嵌合部
２３：第２絶縁部材
２３ａ：延長筒部
２４：スリ割り
２５：スリ割り
２６：係止凸部
２６ａ：第２傾斜面
２７：突起部
【図１】
0003208049.tif 000003
【図２】
0003208049.tif 000004
【図３】
0003208049.tif 000005
【図４】
0003208049.tif 000006
【図５】
0003208049.tif 000007
【図６】
0003208049.tif 000008